(57)【要約】【課題】基板体からビスを取り外すことなく効率よく配管の保持固定施工を行なうことのできる配管支持片が求められている。【解決手段】配管支持片１は、建築物の壁などに固定される配管を把持するものであって、配管に跨るように湾曲形成された配管保持部６と、配管保持部６の両端からそれぞれ管径方向外向きに延在した左右の重合板部７，７とを備えて成り、ビス３，３を収容するためのビス挿通孔８，８を左右の重合板部７，７にそれぞれ形成し、ビス３，３の雄ネジ部３ｅ，３ｅが通過可能でビス挿通孔８，８と外部を連通する切欠き部９，９を、左右の重合板部７，７の同じ側の側辺７ｆ、７ｆに開口して形成したものである。【選択図】      図１
2004340314.tif 000002
【特許請求の範囲】
【請求項１】
建築物の壁などに配管を固定する配管支持片であって、配管に管径方向に跨るように湾曲形成された配管保持部と、配管保持部の両端からそれぞれ管径方向外向きに延在して建築物の壁面などに重合される左右の重合板部とを備えて成り、建築物の壁などの配管添置位置の両側にそれぞれネジ込まれたビスを収容するためのビス挿通孔を左右の重合板部にそれぞれ形成し、ビスの軸部が通過可能でビス挿通孔と外部とを連通する切欠き部を、左右の重合板部の同じ側の側辺に開口して形成したことを特徴とする配管支持片。
【請求項２】
建築物の壁などに固定される基板体にビス止めされ、前記基板体との間で配管を把持する配管支持片であって、配管に管径方向に跨るように湾曲形成された配管保持部と、配管保持部の両端からそれぞれ管径方向外向きに延在して基板体の上面に重合される左右の重合板部とを備えて成り、基板体における配管添置位置の左右両側にそれぞれ形成された雌ネジ孔と同じ離間ピッチで、雌ネジ孔に螺合するビスを収容するためのビス挿通孔を左右の重合板部にそれぞれ形成し、ビスの軸部が通過可能でビス挿通孔と外部とを連通する切欠き部を、左右の重合板部の同じ側の側辺に開口して形成したことを特徴とする配管支持片。
【請求項３】
切欠き部を臨む位置の重合板部に、重合板部の上面から隆起した隆起部を設けて成る請求項１または請求項２に記載の配管支持片。
【発明の詳細な説明】
【０００１】
【発明の属する技術分野】
本発明は、例えば、建築物の壁、天井、床などに配管を固定する配管支持片に関するものである。
【０００２】
【従来の技術】
従来、この種の配管支持片を備えた配管支持具セットが、例えば下記の特許文献１に記載されている。かかる文献記載の配管支持具セットを図６に示す。図に示した配管支持具セットは、板状の基板体２と、基板体固定用のアンカービス５と、基板体２との間で配管を把持する配管支持片１ａと、配管支持片１ａを基板体２に固定するビス３，３とから構成される。基板体２の中央部にはアンカー挿通孔１３が形成され、ビス３，３と螺合する雌ネジ孔４，４が左右に形成されている。配管支持片１ａは正面視略Ω字状に形成されていて、配管に跨る配管保持部６と、配管保持部６の両端から延在して基板体２の上面に重合される左右の重合板部７ａ，７ａとから成っている。左右の重合板部７ａ，７ａには円形のビス挿通孔８ａ，８ａがそれぞれ形成されている。かかる配管支持具セットは、配管支持片１ａが基板体２にビス３，３で仮止めされた一体品として提供されることが多い。
【０００３】
上記した配管支持具セットを用いて配管施工をするにあたり、作業者は、まずビス３，３を弛めてビス３，３および配管支持片１ａを基板体２から取り外す。次に、基板体２を壁の配管取付予定位置にアンカービス５で固定する。そして、一方の手で配管および配管支持片１ａを一緒に持って基板体２に宛がう。そうして、他方の手でドライバによりビス止めしていた。
【０００４】
【特許文献１】
特開平１１−１５９６６２号公報（図１２参照）
【０００５】
【発明が解決しようとする課題】
既述したように、上記の配管支持具セットは、施工にあたりビス３，３を基板体２から取り外す手間が必要である。このように外したビス３は手で持っていることが多く、作業の邪魔になることがある。そこで、外したビス３をポケットなどに入れておくと、取り付ける際にポケット内のビス３を探さなければならない。あるいは、手で持っていたりポケットに出し入れする際にビス３を落とすこともある。また、冬場の工事では手袋を着用するが、手袋をしたままではビス３を取り扱えない。そこで、手袋を外し素手でビス３を持たなければならないが、指がかじかんでビス３を落としやすい。一方、この種の配管支持具セットは屋外使用のためステンレス製のものが大半である。そのため、磁性を帯びたドライバを用いたとしてもステンレス製のビス３がドライバに磁着せず、いったん外したビス３を雌ネジ孔４にねじ込む際に落としやすい。
【０００６】
かかる施工作業は脚立などを用いて高所で行なわれることが多いので、ビス３を落としたときは下まで降りてビス３を取りに行かなければならず、上がり降りが苦痛となる。そのときは、せっかく手で位置合わせした配管を手放さざるを得ず、再び一から位置合わせをしなければならなかった。
他方で、基盤体２に対し配管と配管支持片１を一緒に手で押さえなければならないため、ビス挿通孔８ａを雌ネジ孔４に位置合わせしにくくビス３のねじ込みが煩わしくなることがあった。
以上のような不具合を回避するためには、孔合わせ作業やビス止め作業を時間をかけて慎重に進めなければならず、施工効率の向上化を妨げる要因となっていた。
上記のような不具合は、基板体２を用いることなく、配管支持片１ａを直に建築物の壁などにネジ止めして配管を固定する場合にも生じる。
【０００７】
本発明は、上記した従来の問題点に鑑みてなされたものであって、ビスを落としにくく効率よく配管の保持固定施工を行なうことのできる配管支持片の提供を目的とする。
【０００８】
【課題を解決するための手段】
上記目的を達成するために、本発明に係る配管支持片は、建築物の壁などに配管を固定する配管支持片であって、配管に管径方向に跨るように湾曲形成された配管保持部と、配管保持部の両端からそれぞれ管径方向外向きに延在して建築物の壁面などに重合される左右の重合板部とを備えて成り、建築物の壁などの配管添置位置の両側にそれぞれネジ込まれたビスを収容するためのビス挿通孔を左右の重合板部にそれぞれ形成し、ビスの軸部が通過可能でビス挿通孔と外部とを連通する切欠き部を、左右の重合板部の同じ側の側辺に開口して形成した構成にしてある。
【０００９】
また、建築物の壁などに固定される基板体にビス止めされ、前記基板体との間で配管を把持する配管支持片であって、配管に管径方向に跨るように湾曲形成された配管保持部と、配管保持部の両端からそれぞれ管径方向外向きに延在して基板体の上面に重合される左右の重合板部とを備えて成り、基板体における配管添置位置の左右両側にそれぞれ形成された雌ネジ孔と同じ離間ピッチで、雌ネジ孔に螺合するビスを収容するためのビス挿通孔を左右の重合板部にそれぞれ形成し、ビスの軸部が通過可能でビス挿通孔と外部とを連通する切欠き部を、左右の重合板部の同じ側の側辺に開口して形成したものである。
【００１０】
そして、前記の各構成において、切欠き部を臨む位置の重合板部に、重合板部の上面から隆起した隆起部を設けて成るものである。
【００１１】
【発明の実施の形態】
本発明の実施の形態を図面に基づいて説明する。尚、以下に述べる実施形態は本発明を具体化した一形態に過ぎず、本発明の技術的範囲を限定するものでない。ここに、図１は本発明の一実施形態に係る配管支持片を備えた配管支持具セットを示す分解斜視図、図２は前記配管支持具の正面図、図３は前記配管支持具セットの底面図、図４は図２におけるＡ−Ａ線矢視断面図である。
各図において、建築物の壁、天井、床などに配管を支持固定する配管支持具セットは、基板体２と、基板体２を壁１７などに固定するためのアンカービス５と、基板体２との間で配管１６を把持する本実施形態の配管支持片１と、配管支持片１を基板体２に固定するビス３，３とから構成される。
【００１２】
基板体２は左右に長い板状に形成され、前後の側辺が下向きに折り曲げられて脚部１５，１５となっている。基板体２の上面１４のほぼ中央部には、アンカービス５が挿通されるアンカー挿通孔１３が形成されている。また、基板体２の上面１４における配管添置位置（アンカー挿通孔１３を被う位置）の左右両側には、ビス３，３の雄ネジ部３ｅ，３ｅと螺合する雌ネジ孔４，４がそれぞれ形成されている。
【００１３】
配管支持片１は、配管１６に管径方向（図２の矢印Ｕ方向）に跨るように湾曲形成された配管保持部６と、配管保持部６の両端からそれぞれ管径方向外向きに延在して基板体２の上面に重合される左右の重合板部７，７とを備えて構成されている。配管保持部６の上面には、隆起した補強用突部１０が管径方向に沿って形成されている。そして、基板体２の左右の雌ネジ孔４，４間と同じ離間ピッチＰで、ビス３の雄ネジ部３ｅを収容可能なビス挿通孔８，８が、左右の重合板部７，７にそれぞれ形成されている。
【００１４】
一方、この配管支持片１には、ビス挿通孔８と外部とを連通する切欠き部９，９が、左右の重合板部７，７のそれぞれにおける前側辺７ｆ，７ｆ，７ｆ，７ｆ（同じ側の側辺）に開口して形成されている。ビス挿通孔８と開口部とを結ぶ各切欠き部９の向きは、この例では配管保持部６の筒心（管心Ｃとほぼ同心）と平行になっている。また、各切欠き部９の開口幅は、ビス３の雄ネジ部３ｅ（軸部）が通過可能で、かつ、ビス頭の外径よりも狭い幅に設定されている。但し、２つの切欠き部９，９を開口させる同じ側の辺は前側辺７ｆでなく、後側辺７ｇ，７ｇであっても構わない。
そして、各重合板部７における切欠き部９を臨む位置に、重合板部７の上面から  隆起した隆起部１１，１２が形成されている。隆起部１１と隆起部１２は切欠き部９をはさんで対面位置に設けられている。
【００１５】
上記構成の配管支持片１を用いた配管施工作業を説明する。ここでは、図２〜図４のように、管心Ｃを垂直向きに配置した配管１６を保持固定する例を示す。配管支持片１は配管支持具セットに予め組み込まれている。
作業者は、まず基板体２の上面１４からビス３のビス頭までの距離が、配管支持片１の重合板部７の厚さと隆起部１１，１２の隆起高さの合計寸法を越えるように、ビス３，３を弛める。そして、配管支持片１を管心Ｃに沿う方向（矢印Ｓの反対方向）にスライドさせて基板体２から取り外す。次に、壁１７の配管取付予定位置に基板体２をアンカービス５で固定する。続いて、基板体２のアンカー挿通孔１３を被う位置に配管１６を片手で添え置き、他方の手で配管支持片１を持ち基板体２よりも上方位置で配管１６に跨らせる。
【００１６】
そのまま、配管支持片１を下向き（図２の矢印Ｓ方向）にスライドさせると、切欠き部９がビス３の雄ネジ部３ｅの横を通過しビス挿通孔８の縁が雄ネジ部３ｅに当接する。この時点で、重合板部７，７が基板体２の上面１４の所定位置（図２，３に示した位置）に重なる。このとき、まだビス３，３を締めていないが、配管支持片１から手を離しても、配管支持片１はビス３，３に乗り掛かっているために脱落しない。
一方、この配管支持片１は隆起部１１，１２を有しているので、不注意により手や用具が配管支持片１に触れたとしても、隆起部１１，１２がビス３のビス頭に干渉して外れない。すなわち、図４の２点鎖線で示すビス３のように未だ締め付けていない状態で、配管支持片１に上向き（矢印Ｔ方向）の力が掛かった場合でも、隆起部１２の傾斜面１２ｉがビス頭の周縁部３ｈに当接して配管支持片１の離脱を阻止するのである。
【００１７】
上記したように、配管支持片１を備えた配管支持具セットは、基板体２にビス３，３を付けたまま施工できるので、ビス３，３を取り外す手間が不要であるうえビス３，３を落とすことがない。無論、外したビス３，３をあらためて雌ネジ孔４，４にねじ込むといった手間もかからない。また、冬場の作業であっても手袋を着けたまま作業をすることができる。そのうえ、配管支持片１から手を離すことができ、離した手を別の作業に用いることができる。従って、配管の取付施工が極めて楽で施工速度が速くなり、施工効率が格段に向上する。
一方で、切欠き部９を設けただけでは重合板部７の剛性が必然的に低下するが、隆起部１１，１２を設けたことにより、切欠き部９近傍における重合板部７の剛性低下を免れることができる。
【００１８】
尚、上記の実施形態では、垂直方向に向けた配管１６を配管支持片１で壁１７に保持固定した例を示したが、本発明の配管支持片はそれに限定されるものでなく、例えば図５に示すように、丸型ボックス１８を中継して水平方向に向けた配管１６を壁１７に保持固定する場合にも適用される。このように配管支持片１を上下に向けて配置（切欠き部９，９は横向きになっている。）した場合でも、隆起部１１，１２の存在により配管支持片１がビス３，３から離脱しにくい。
【００１９】
また、上記では、配管支持片１と基板体２を併用したが、基板体２を用いることなく、配管支持片１を直に建築物の壁などにネジ止めして配管固定することもできる。その場合は、壁１７における配管取付予定位置をはさむ両側位置に、切欠き部９，９間の離間ピッチＰと同ピッチで一対の目印を付しておき、これらの目印の位置にビス３，３（この場合は、木ネジタイプのビス）をそれぞれ中途までネジ込んでおく。次に、一方の手で配管１６を持ち、他方の手で配管支持片１を持って配管１６に跨らせる。そして、配管支持片１をビス３，３までスライドさせたのちにビス３，３を締め付けて固定するのである。この例でも、ビス３，３が壁１７に既に仮止めされているので、配管支持片１の装着・固定時にビス３を落とすといったことがない。
【００２０】
そして、上記では配管支持片１に隆起部１１および１２の双方を設けた例を示したが、隆起部１１または１２のいずれか一方だけを設けた場合でも、配管支持片が脱落しにくいことは言うまでもない。そして、本発明の配管支持片により保持固定される配管としては、電線、信号線、電話線などを収容した保護管に限らず、水道管、ガス管なども挙げられる。
【００２１】
【発明の効果】
以上詳述したように、本発明によれば、建物の壁面などで配管支持片をスライドさせるだけで、前記壁面などに中途までネジ込まれているビスに配管支持片を装着できるので、一方の手で配管を持ち他方の手で配管支持片を案内してビス止めするといったことができる。従って、配管の保持固定施工を効率よく実施できる。
【００２２】
また、基板体とともに使用する場合は、ビスを取り付けたままの基板体に配管支持片をスライドさせて装着できるので、ビスを基板体から取り外す手間が不要となりビスを落とすことがない。従って、外したビスをあらためて雌ネジ孔にねじ込むといった手間がかからず、手袋を着けたままでも作業をすることができる。その結果、配管保持固定の施工効率が格段に向上する。
【００２３】
そして、切欠き部を臨む位置の重合板部に隆起部を設けた場合、配管支持片のビス挿通孔にビスが達したのちは、配管支持片に脱離方向の力がかかっても隆起部がビス頭と干渉するため、配管支持片が容易にはビスから離脱しない。加えて、隆起部の存在により、切欠き部周辺の剛性が高くなっているため、ビス止め時の重合板部の変形を防ぐことができる。
【図面の簡単な説明】
【図１】本発明の一実施形態に係る配管支持片を備えた配管支持具セットを示す分解斜視図である。
【図２】前記配管支持具セットの正面図である。
【図３】前記配管支持具セットの底面図である。
【図４】図２におけるＡ−Ａ線矢視断面図である。
【図５】前記配管支持具セットを用いて配管を壁に固定した態様を斜め下から見上げた外観図である。
【図６】従来の配管支持具セットを示す分解斜視図である。
【符号の説明】
１    配管支持片
２    基板体
３    ビス
３ｅ  雄ネジ部
４    雌ネジ孔
６    配管保持部
７    重合板部
７ｄ  上面
７ｆ  前側辺
８    ビス挿通孔
９    切欠き部
１１，１２  隆起部
１５  脚部
１６  配管
１７  壁
Ｐ    離間ピッチ
Ｕ    矢印
【図１】
2004340314.tif 000003
【図２】
2004340314.tif 000004
【図３】
2004340314.tif 000005
【図４】
2004340314.tif 000006
【図５】
2004340314.tif 000007
【図６】
2004340314.tif 000008